(57)【特許請求の範囲】
【請求項１】
携帯電話機のディスプレイに背景画像データを表示する背景画像表示方法において、
アクセス可能な少なくとも１つのメモリに格納された１つ以上の背景画像データから、基地局から受信された予め設定されたパラメータに基づいて、表示する１つ以上の背景画像データを自動的に選択する選択ステップと、
上記メモリから自動的に選択された背景画像データを読み出す読出ステップと、
上記読み出された背景画像データを、上記予め設定されたパラメータによって定義された順序で上記携帯電話機のディスプレイに表示する表示ステップとを有する背景画像表示方法。
【請求項２】
上記読出ステップは、上記基地局から上記背景画像データを受け取るステップを有することを特徴とする請求項１記載の背景画像表示方法。
【請求項３】
上記読出ステップは、加入者識別モジュール内のメモリから上記背景画像データを読み出すステップを有することを特徴とする請求項１記載の背景画像表示方法。
【請求項４】
上記読出ステップは、上記携帯電話機に備えられたメモリから上記背景画像データを読み出すステップを有することを特徴とする請求項１記載の背景画像表示方法。
【請求項５】
上記読出ステップは、上記携帯電話機に接続された外部メモリから上記背景画像データを読み出すステップを有することを特徴とする請求項１記載の背景画像表示方法。
【請求項６】
上記背景画像データは、コンピュータから上記携帯電話機にダウンロードされることを特徴とする請求項１乃至５いずれか１項記載の背景画像表示方法。
【請求項７】
上記背景画像データは、上記携帯電話機のブラウザ機能を用いて、インターネットを介して接続されるソースからダウンロードされることを特徴とする請求項１乃至５いずれか１項記載の背景画像表示方法。
【請求項８】
上記背景画像データは、前景情報に用いられる色を除いた表示可能な色により表示されることを特徴とする請求項１乃至７いずれか１項記載の背景画像表示方法。
【請求項９】
無線通信用の携帯電話機において、
アクセス可能な少なくとも１つのメモリに格納された１つ以上の背景画像データからディスプレイに背景画像データを表示する制御手段を備え、
上記制御手段は、
上記メモリに格納された１つ以上の背景画像データから、基地局から受信された予め設定されたパラメータに基づいて、表示する１つ以上の背景画像データを自動的に選択する選択手段と、
上記メモリから自動的に選択された背景画像データを読み出す読出手段と、
上記読み出された背景画像データを、上記予め設定されたパラメータによって定義された順序で上記ディスプレイに表示するディスプレイ駆動手段とを有する携帯電話機。
【請求項１０】
上記読出手段は、上記基地局から上記背景画像データを受け取ることを特徴とする請求項９記載の携帯電話機。
【請求項１１】
上記読出手段は、加入者識別モジュール内のメモリから上記背景画像データを読み出すことを特徴とする請求項９記載の携帯電話機。
【請求項１２】
上記読出手段は、当該携帯電話機が備えるメモリから上記背景画像データを読み出すことを特徴とする請求項９記載の携帯電話機。
【請求項１３】
上記読出手段は、上記携帯電話機に接続された外部メモリから上記背景画像データを読み出すことを特徴とする請求項９記載の携帯電話機。
【請求項１４】
コンピュータから背景画像データをダウンロードするダウンロード手段を備える請求項９乃至１３いずれか１項記載の携帯電話機。
【請求項１５】
インターネットにより接続されるソースから背景画像データをダウンロードするブラウザ機能を備える請求項９乃至１３いずれか１項記載の携帯電話機。
【請求項１６】
上記制御手段は、上記背景画像データの色情報を前景情報に用いられる色を除いた表示可能な色により表示するように調整することを特徴とする請求項９乃至１５いずれか１項記載の携帯電話機。
【発明の詳細な説明】
【０００１】
【発明の属する技術分野】
本発明は、ディスプレイに背景画像を表示する携帯電話機に関し、特に、表示される背景画像を自動的に選択する携帯電話機に関する。
【０００２】
【従来の技術】
携帯電話機の小型化に伴って、携帯電話機の操作面の殆どの領域は、ディスプレイとキーパッドによって占められ、残された領域は、通常、ユーザが契約している電話会社（contract operator）等のロゴを表示するには狭すぎる。さらに、ロゴや広告を携帯電話機の表面に半永久的に印刷することは、現実的ではない。
【０００３】
また、現在利用可能な携帯電話機の多くは、携帯電話機のディスプレイ上にグラフィック画像を表示できるようになっている。このグラフィック画像は、携帯電話機のメモリ又は加入者識別モジュール（ＳＩＭ；Subscriber Identity Module）のメモリに格納されている。ＳＩＭについては、欧州特許公開公報第０８９６４９１Ａ１号に開示されている。この文献によれば、ＳＩＭの命令セットは、携帯電話機のディスプレイ上にグラフィック要素を表示するためのグラフィカルコマンドを含んでいる。
【０００４】
【発明が解決しようとする課題】
ディスプレイの一部を占めるアイコンとして形成されたグラフィカル画像は、例えば、バッテリ残量、音量又はアラーム機能のアクティブ状態などの携帯電話機の状態をユーザに知らせる。このようなアイコンは、非常に小さな領域で重要な情報を伝達できるという点で優れているが、アイコンは、広告として使用するには小さすぎる。しかし、アイコンのグラフィカル表示のサイズを大きくすると、文字や数字でメッセージを表示できる領域が狭くなるという問題がある。
【０００５】
欧州特許公開公報第１０１１２４８Ａ２号には、携帯電話機に背景画像を表示する方法及び装置が開示されており、この文献によれば、背景画像は、データソースからダウンロードされ、メモリに格納される。これにより、ユーザは、携帯電話機のディスプレイ上に表示する背景画像をメモリから選択できる。メッセージが背景画像の手前に表示されてもアイコンが認識できるように、背景画像の表示は、緊急に表示する文字メッセージの検出に応じて停止される。また、背景画像の表示は、ユーザの操作によって選択されるようになっており、その選択は、携帯電話の他のあらゆるパラメータ又は携帯電話機の状態から独立したものであった。
【０００６】
本発明は、上述した従来の実情に鑑みて提案されたものであり、単純かつ柔軟な手法でディスプレイ上に背景画像を自動的に表示する背景画像表示方法及びこの方法を適用した携帯電話機を提供することを目的とする。
【０００７】
【課題を解決するための手段】
上述の目的を達成するために、本発明に係る背景画像表示方法は、携帯電話機のディスプレイに背景画像データを表示する背景画像表示方法において、アクセス可能な少なくとも１つのメモリに格納された１つ以上の背景画像データから、基地局から受信された予め設定されたパラメータに基づいて、表示する背景画像データを自動的に選択する選択ステップと、メモリから自動的に選択された背景画像データを読み出す読出ステップと、読み出された背景画像データを、予め設定されたパラメータによって定義された順序で携帯電話機のディスプレイに表示する表示ステップとを有する。
【０００８】
また、上述の目的を達成するために、本発明に係る携帯電話機は、アクセス可能な少なくとも１つのメモリに格納された１つ以上の背景画像データからディスプレイに背景画像データを表示する制御手段を備える。制御手段は、メモリに格納された１つ以上の背景画像データから、基地局から受信された予め設定されたパラメータに基づいて、表示する１つ以上の背景画像データを自動的に選択する選択手段と、メモリから自動的に選択された背景画像データを読み出す読出手段と、読み出された背景画像データを、予め設定されたパラメータによって定義された順序でディスプレイに表示するディスプレイ駆動手段とを有する。
【０００９】
本発明により、小型化された携帯電話機においても広告文字画像を表示でき、特に、加入者との電話契約を行う電話会社は、十分なサイズの領域を確保するよう、表示情報を様々にカスタマイズすることができる。さらに、背景画像は、携帯電話機の現在の動作状態、すなわち使用されている特別なサービス又は携帯電話機が現在登録されているネットワーク等の情報を反映することができる。
【００１０】
また、背景画像の自動選択は、加入者識別ファイルから読み出した情報に基づいて行ってもよく、この情報から、例えば電話会社を識別することもできる。
【００１１】
背景画像は、登録処理に応じて基地局から携帯電話機に送信してもよい。これに代えて背景画像データは、加入者識別モジュール（Subscriber Identity Module）、携帯電話機本体内のメモリ又は携帯電話機に接続された外部モジュールから読み出してもよい。
【００１２】
さらに、背景画像は、コンピュータから携帯電話機にダウンロードしてもよく、及び／又は携帯電話機のブラウザ機能を用いて、インターネットのソースからダウンロードしてもよい。
【００１３】
背景画像の表示には、前景に表示される情報の色以外の色を使用するとよい。例えば、４階調のグレースケールを有するディスプレイでは、白（透明）、薄いグレー、濃いグレーを背景画像に使用し、前景に表示される情報、すなわちテキストによるメッセージ又はアイコン等には、黒を使用するとよい。
【００１４】
本発明は、ディスプレイ装置の画像処理能力を利用する携帯電話のコントローラのグラフィカルユーザインターフェイスにおいて実現してもよい。
【００１５】
【発明の実施の形態】
以下、本発明に係る背景画像表示方法及び携帯電話機について、図面を参照して詳細に説明する。なお、添付の図面では、共通の要素については、共通の符号を付している。
【００１６】
図１は、本発明を適用した携帯電話機１００の構成を示すブロック図である。この携帯電話機１００は、データ及び音声信号を送受信する送受信回路１０１と、音を電気信号に変換するマイクロフォン１０２、電気信号を音に変換するスピーカ１０３、音声以外の情報を入力するためのキーパッド１０４及び音声以外の情報を出力するディスプレイ１０５等のユーザインターフェイスとを備える。さらに、この携帯電話機１００は、携帯電話機１００全体の動作を制御するコントローラ１０６と、コントローラ１０６にクロックパルスを供給する実時間クロック（real time clock：ＲＴＣ）１０７と、携帯電話機１００の電源が切断されても失われないデータを格納する不揮発性メモリ１０９を含むメモリ１０８と、メモリ１１１を有する加入者識別モジュール（Subscriber Identity Module：以下、ＳＩＭという。）１１０とを備える。さらに、携帯電話機１００は、パーソナルコンピュータやラップトップコンピュータとデータを交換するためのデータ交換インターフェイス１１２を備える。また、携帯電話機１００には、メモリスティック（ソニー株式会社の商標）等の外部メモリ１１３を挿入してもよく、この外部メモリ１１３もコントローラ１０６により制御される。
【００１７】
送受信回路１０１は、無線伝送路を介してデータ及び音声信号を送受信するための処理を行う回路であり、アンテナ１１４と、アンテナ１１４に接続された高周波信号送受信回路１１５と、ベースバンド処理回路１１６と、チャンネルコーダ／デコーダ（以下、コーデックという。）１１７と、マイクロフォン１０２及びスピーカ１０３に接続された音声コーデック１１８とを備える。これら各回路は、コントローラ１０６により制御される。
【００１８】
携帯電話機１００には、ユーザが情報を入力するための回転操作子（ジョグダイアル）１１９及びキーパッド１０４が設けられている。例えば、液晶表示装置（ＬＣＤ）であるディスプレイ１０５には、ユーザに所定の情報を提供するためのグラフィカルユーザインターフェイスが表示される。
【００１９】
なお、図１に示す機能ブロックは、機能的なユニットを表し、それぞれの機能ブロックは、必ずしも単一の電子的素子又は回路とは限らない。例えば、メモリ１０８は、携帯電話機１００の回路基板上に分散された複数の異なる種類のメモリにより構成してもよい。
【００２０】
背景画像は、メモリ１０８に含まれる不揮発性メモリ１０９に一時的に格納してもよく、不揮発性メモリ１０９に永続的に格納してもよい。携帯電話機１００のメモリ１０８に背景画像又は背景画像の組を格納することに代えて又はこれに加えて、これらの背景画像をＳＩＭ１１０のメモリ１１１に格納してもよく、あるいは、携帯電話機１００に接続され、異なる電子機器間でデータ交換を行うことができる外部メモリ１１３から背景画像を供給してもよい。
【００２１】
図２は、背景画像を選択し、携帯電話機１００のディスプレイ１０５に背景画像を表示する本発明に基づく基本的な処理を説明するフローチャートである。なお、図２〜図６には、本発明を理解するために必要な処理ステップのみを示している。
【００２２】
ステップＳ２０１において電源が投入され、ステップＳ２０２において、スタートアップシーケンスが完了すると、ステップＳ２０３において、ＳＩＭ１１０が存在するかが判定される。ここで、ＳＩＭ１１０が検出されない場合、処理はステップＳ２０４に移行し、ユーザに対し、例えば「ＳＩＭを挿入して下さい」等、ＳＩＭ１１０の挿入を促すメッセージが表示される。一方、ステップＳ２０３において、ＳＩＭ１１０が検出されると、ステップＳ２０５において、コントローラ１０６内に設けられた選択部１２０が背景画像を選択し、ステップＳ２０６において、コントローラ１０６内に設けられた読出部１２１がこれに対応するデータをメモリから読み出し、ステップＳ２０７において、コントローラ１０６内に設けられたディスプレイ駆動部１２３がこのデータに基づく背景画像をこの携帯電話機１００のディスプレイ１０５に表示する。
【００２３】
ここで、背景画像は、様々な手法で選択することができる。メモリに格納されている背景画像が１つだけの場合、適切な背景画像を選択する処理は省略され、この唯一の使用できる背景画像が自動的に選択される。一方、１つのメモリ又は分散された複数のメモリに亘って複数の背景画像が存在し、これらの背景画像から表示する背景画像を選択する必要がある場合、この選択処理は、適切な背景画像及びこの背景画像が格納されている位置を示すパラメータの組に基づいて実行される。これらのパラメータは、携帯電話機１００の製造業者又はユーザが契約している電話会社（contract operator）により予め設定されたものであってもよい。また、携帯電話機１００のメモリにパラメータを設定する代わりに、ＳＩＭ１１０のメモリ１１１にパラメータを設定してもよい。
【００２４】
図３は、ＳＩＭ１１０内の加入者識別番号（：International Mobile Subscriber Identity：以下、ＩＭＳＩという。）ファイルのコンテンツに基づいて背景画像を選択する処理を説明するフローチャートである。ステップＳ２０１において、ユーザが携帯電話機１００の電源を投入すると、ステップＳ２０２において、スタートアップシーケンスは、携帯電話機１００の基礎的機能を起動し、ステップＳ２０３においてＳＩＭ１１０が存在するか否かを確認する。ＳＩＭ１１０が存在すると、ステップＳ３０１において、ＳＩＭ１１０からＩＭＳＩファイルが読み出され、ステップＳ３０２において、このＩＭＳＩファイルに基づき、このＳＩＭ１１０を提供している電話会社が識別される。携帯電話機１００のメモリに格納されている複数の背景画像の一部は、ネットワーク運用会社及び／又は携帯電話の契約サービスを提供する電話会社に関するものである。電話会社が識別されると、選択部１２０は、ステップＳ３０３において、この電話会社のアイデンティティを表す背景画像を選択し、読出部１２１は、ステップＳ３０４においてメモリからこの背景画像を読み出し、ディスプレイ駆動部１２３は、ステップＳ３０５において、ディスプレイ１０５にこの背景画像を表示する。これに代えて、電話会社は、ＳＩＭ１１０に自らの背景画像を格納し、ユーザに提供してもよい。さらに、背景画像又は背景画像の選択に必要なデータを外部メモリ１１３に格納し、この外部メモリ１１３から背景画像又は背景画像の選択に必要なデータを読み出すようにしてもよい。ここで、電話会社に関する背景画像が上述したメモリのいずれにも格納されていない場合のために、代理となる背景画像を定義しておいてもよい。すなわち、この手法によれば、選択処理は、電話会社のアイデンティティに適切な背景画像を割り当てる処理と、背景画像が格納されている場所を確認する処理と、背景画像がアクセス可能なメモリに格納されていない場合に、代理となる背景画像を割り当てる処理とを含んでいる。どの背景画像を代理の背景画像として選択するかは、予め設定されたパラメータに基づいて定義される。これらのパラメータは、携帯電話機１００の製造業者が設定してもよく、電話会社がＳＩＭに格納したファイルにより設定してもよく、携帯電話機１００のユーザの操作により入力又は変更してもよい。
【００２５】
現在使用されている移動体ネットワークの運用会社に関する背景画像を表示する処理を図４を用いて説明する。初期の処理ステップは、上述の処理と同様であるので、説明は省略する。ステップＳ２０３において、ＳＩＭ１１０が検出されると、携帯電話機１００は、ステップＳ４０１において、対応する基地局に登録処理を行う。登録が完了すると、基地局は、ステップＳ４０２において、この基地局を含む移動体ネットワーク（mobile network）を運営するネットワーク運用会社を識別する識別情報を携帯電話機１００に送信する。この識別情報に基づき、携帯電話機１００は、選択部１２０によりステップＳ４０３において利用可能な背景画像の中からこのネットワーク運用会社に対応する背景画像を選択し、ステップＳ４０４において、読出部１２１により、メモリの所定位置からこの背景画像を読み出し、ステップＳ４０５において、ディスプレイ駆動部１２３によりこの背景画像をディスプレイ１０５に表示する。この背景画像は、ネットワーク運用会社に関連する背景画像であってもよく、このような背景画像が存在しない場合は、代理の背景画像であってもよい。
【００２６】
この背景画像をアクセス可能なメモリから読み出す代わりに、上述した登録処理において、この画像を基地局から携帯電話機１００に送信するようにしてもよい。この処理を図５に示す。すなわち、ステップＳ４０１における登録処理の後、ステップＳ４０２において基地局がネットワーク運用会社の識別情報を携帯電話機１００に送信すると、携帯電話機１００は、ステップＳ５０１において、選択部１２０によるトリガにより基地局に背景画像を要求する。これに応じて、基地局は、ステップＳ５０２において、要求された背景画像を携帯電話機１００に送信する。このステップＳ５０２により携帯電話機１００が背景画像を受信すると、各背景画像は、ステップＳ５０３において、上述したメモリのいずれかに格納された後、あるいは直接、ディスプレイ駆動部１２３によりディスプレイ１０５に表示される。また、これに代えて、メモリ内に格納されている複数の背景画像からネットワーク運用会社に関連する画像が発見されない場合にのみ、選択部１２０が基地局に背景画像を要求するようにしてもよい。
【００２７】
図６に示す処理は、上述した処理を組み合わせたものである。分岐点における判定の基準は、予め定められたパラメータの組に基づいている。このパラメータの組は、携帯電話機１００の製造業者が自らの希望により設定してもよく、電話会社の要求により設定してもよい。これらのパラメータの組は、携帯電話機１００のメモリに格納される。これに代えて、これらのパラメータの組をＳＩＭ１１０に格納してもよい。さらに、ユーザがこれらのパラメータの組にアクセスし、自らの都合でこれらのパラメータを変更できるようにしてもよい。
【００２８】
ステップＳ２０１において、ユーザが携帯電話機１００に電源を投入すると、ステップＳ６０１において、パラメータの組のコンテンツに基づいてスタートアップシーケンスが選択される。ここで、通常のスタートアップシーケンスが選択された場合、ステップＳ２０２において、通常のスタートアップシーケンスが実行される。一方、異なるスタートアップシーケンスが選択された場合、ステップＳ６０２において、予め選択されている背景画像を表示するための必要な処理を含むスタートアップシーケンスが実行される。続いて、ステップＳ２０３において、ＳＩＭ１１０が存在するか否かが判定される。
【００２９】
ここで、ＳＩＭ１１０が検出されると、選択部１２０は、ステップＳ６０３において、パラメータの組に基づいて上述した背景画像の表示モードの１つを選択する。さらに、この選択は、どのような背景画像が現在選択可能であるかに基づいて実行してもよい。
【００３０】
この選択における第１の選択肢として、ステップＳ６０４では、ＳＩＭ１１０内のＩＭＳＩファイルにより識別された電話会社に関連する背景画像を表示する。この背景画像は、電話会社の広告文字テキストであってもよく、単にロゴであってもよい。
【００３１】
また、第２の選択肢として、ステップＳ６０５では、予め定められたパラメータの組に基づいて、所定の背景画像、あるいは複数の背景画像を一定の順序で表示する。この背景画像は、携帯電話機１００が起動状態にあり、かつスタンバイモード又はアイドルモードである間、継続的に表示される。
【００３２】
第３の選択肢として、ステップＳ６０７においては、現在使用されている移動体ネットワークのネットワーク運用会社に関する背景画像を表示する。なお、ステップＳ６０６において、ネットワーク運用会社が識別されるまでは、電話会社の背景画像を表示するようにしてもよい。ネットワーク運用会社が識別されると、パラメータの組に基づいて、ステップＳ６０８において、基地局からネットワーク運用会社に関連する背景画像を受け取るか、あるいは携帯電話機１００がアクセス可能なメモリからネットワーク運用会社に関連する背景画像又はその代理となる背景画像を読み出すかが決定される。背景画像を基地局から受信する場合、さらに、パラメータの組により、この受信した背景画像をメモリに格納して使用するか、携帯電話機１００のディスプレイ１０５に直接表示するかが決定される。
【００３３】
背景画像は、携帯電話機１００のメモリ１０８，１０９又はＳＩＭ１１０のメモリ１１１から外部メモリ１１３に転送することもでき、逆に、外部メモリ１１３から携帯電話機１００のメモリ１０８，１０９又はＳＩＭ１１０のメモリ１１１に転送することもできる。これにより、例えば他の携帯電話機、コンピュータ装置、スキャナ装置等の異なる電子機器間で背景画像を交換することができる。また、これにより、携帯電話機１００のユーザは、背景画像のコレクションの内容を変更することができる。例えば、ユーザは、所望の画像をスキャナ装置で読み込み、このデータを外部メモリ１１３に格納した後、携帯電話機１００のメモリに転送することができる。
【００３４】
また、外部メモリ１１３を介して、２つの異なる携帯電話機１００，１００間で背景画像を交換することもできる。さらに、携帯電話機１００のデータ交換インターフェイス１１２により、コンピュータから背景画像を直接ダウンロードすることにより、携帯電話機１００のメモリに格納されている背景画像のコレクションを変更することもできる。携帯電話機１００は、ワイヤレスアプリケーションプロトコル（Wireless Application Protocol：ＷＡＰ（Ｗ＠Ｐ））部１２４を備え、これによりユーザはインターネットを介してアクセス可能なウェブサイトから背景画像をダウンロードすることができる。
【００３５】
背景画像の表示と、テキスト等の英数字形式又はアイコンにより同時に表示されるメッセージとが干渉しないように、背景画像には全ての色又はグレースケールを使用しないようにするとよい。特に、彩度の高い色を前景情報に使用し、白を含む明るい色の画像要素を透明な形式で背景画像に使用するとよい。
【００３６】
また、英数字及び画像情報に４階調のグレースケールを表示するディスプレイにおいては、背景画像には明るいグレートーンのみしか使用しないようにするとよい。これにより、アイコン又はテキストの形式の情報は、最も暗い色で表示され、この他のトーンが背景画像に使用されるため、背景画像と情報とが明確に区別される。
【００３７】
【発明の効果】
以上のように、本発明に係る背景画像表示方法では、アクセス可能な少なくとも１つのメモリに格納された１つ以上の背景画像データから、基地局から受信された予め設定されたパラメータに基づいて、表示する背景画像データを自動的に選択し、このメモリから自動的に選択された背景画像データを読み出し、読み出された背景画像データを、予め設定されたパラメータによって定義された順序で携帯電話機のディスプレイに表示する。これにより、ユーザの操作に依存することなく、単純かつ柔軟な手法でディスプレイ上に背景画像を自動的に表示することができる。
【００３８】
また、本発明に係る携帯電話機は、アクセス可能な少なくとも１つのメモリに格納された１つ以上の背景画像データからディスプレイに背景画像データを表示する制御手段を有し、この制御手段は、メモリに格納された１つ以上の背景画像データから、基地局から受信された予め設定されたパラメータに基づいて、表示する１つ以上の背景画像データを自動的に選択する選択手段と、メモリから自動的に選択された背景画像データを読み出す読出手段と、読み出された背景画像データを、、予め設定されたパラメータによって定義された順序でディスプレイに表示するディスプレイ駆動手段とを備える。これにより、ユーザの操作に依存することなく、単純かつ柔軟な手法でディスプレイ上に背景画像を自動的に表示することができる。
【図面の簡単な説明】
【図１】本発明に基づく携帯電話機の構成を示すブロック図である。
【図２】背景画像を表示する基礎的な処理を説明するフローチャートである。
【図３】ＩＭＳＩファイルに基づいて背景画像を表示する処理を説明するフローチャートである。
【図４】携帯電話機が現在登録されている移動体ネットワークのネットワーク運用会社に応じて背景画像を選択する処理を説明するフローチャートである。
【図５】要求された背景画像を基地局から携帯電話機に送信する処理を説明するフローチャートである。
【図６】予め定められたパラメータに基づいて、背景画像を選択して表示する処理を説明するフローチャートである。
【符号の説明】
１００  携帯電話機、１０１  送受信回路、１０５  ディスプレイ、１０６  コントローラ、１０８  メモリ、１１０  ＳＩＭ、１１２  データ交換インターフェイス、１２０  選択部、１２１  読出部、１２３  ディスプレイ駆動部、１２４  ワイヤレスアプリケーションプロトコル部
【図１】
0004008689.tif 000002
【図２】
0004008689.tif 000003
【図３】
0004008689.tif 000004
【図４】
0004008689.tif 000005
【図５】
0004008689.tif 000006
【図６】
0004008689.tif 000007